【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
車両緊急呼システムにおけるワイヤレス通信のための方法であって、
通信セッションシグナリングプロトコルにより前記車両緊急呼システムにおける第1のエンドポイントから前記車両緊急呼システムにおける第2のエンドポイントにテレマティクス能力のセットを送信するステップと、
前記第1のエンドポイントが実施することが可能である少なくとも1つのアクションの実施を求める要求を前記第1のエンドポイントが受け入れる要求データ構造に対応する能力データ構造において、テレマティクス能力の前記セットを送信するステップと
を含む方法。
【請求項２】
前記要求データ構造のフォーマットと実質的に同等に前記能力データ構造をフォーマットするステップ
をさらに含む、請求項1に記載の方法。
【請求項３】
拡張マークアップ言語(XML)要素として前記能力データ構造をフォーマットするステップ
をさらに含む、請求項1に記載の方法。
【請求項４】
前記少なくとも1つのアクションを定義する少なくとも1つの子XML要素を前記能力のXML要素データ構造に含めるステップ
をさらに含む、請求項3に記載の方法。
【請求項５】
前記第1のエンドポイントは緊急呼車載システム(IVS)であり、前記第2のエンドポイントは緊急呼応答機関であり、テレマティクス能力の前記セットは、緊急呼の確立中または確立後に送信される、請求項1に記載の方法。
【請求項６】
前記第1のエンドポイントは緊急呼車載システム(IVS)であり、前記第2のエンドポイントは緊急呼応答機関であり、前記方法はさらに、
前記緊急呼応答機関との緊急呼を確立するために招待およびデータセットを送信するステップと、
テレマティクス能力の前記セットの送信を求める前記緊急呼応答機関による要求に応答して、前記緊急呼が確立された後にテレマティクス能力の前記セットを送信するステップと、
をさらに含む、請求項1に記載の方法。
【請求項７】
車両緊急呼システムにおけるワイヤレス通信のための装置であって、
プロセッサと、
前記プロセッサと電子通信しているメモリと、
前記メモリに記憶された命令と
を含み、前記命令は前記プロセッサによって、
通信セッションシグナリングプロトコルにより前記車両緊急呼システムにおける第1のエンドポイントから前記車両緊急呼システムにおける第2のエンドポイントにテレマティクス能力のセットを送信し、
前記第1のエンドポイントが実施することが可能である少なくとも1つのアクションの実施を求める要求を前記第1のエンドポイントが受け入れる要求データ構造に対応する能力データ構造において、テレマティクス能力の前記セットを送信する
ように実行可能である、装置。
【請求項８】
前記第1のエンドポイントは緊急呼車載システム(IVS)であり、前記第2のエンドポイントは緊急呼応答機関である、請求項7に記載の装置。
【請求項９】
前記少なくとも1つのアクションは、
テレマティクスデータを収集すること、テレマティクスデータを送信すること、車両の状態に影響を与えるアクションを実施すること、車両の構成要素をアクティブ化すること、車両の構成要素を非アクティブ化すること、車両のイグニションをオフにすること、車両のイグニションをオンにすること、車両の燃料供給をオフにすること、車両の燃料供給をオンにすること、一次バッテリもしくは他のバッテリもしくは他の電源を切断すること、一次バッテリもしくは他のバッテリもしくは他の電源を接続すること、ドアの鍵を開けること、ドアの鍵を閉めること、車両のクラクションをアクティブ化すること、外部可聴音をアクティブ化すること、車両のライトをアクティブ化すること、車両の点滅灯をアクティブ化すること、パワーウィンドウを作動させること、録音メッセージを再生すること、メディアをレンダリングすること、テキストメッセージを表示すること、カメラをアクティブ化すること、カメラを非アクティブ化すること、またはそれらの組合せ
のうちの1つまたは複数を含む、請求項7に記載の装置。
【請求項１０】
前記メモリは、前記プロセッサによって、
前記少なくとも1つのアクションに対応するパラメータをテレマティクス能力の前記セットに含めるステップであって、前記パラメータは、前記少なくとも1つのアクションのサポートされる態様を定義する、ステップ
を行うように実行可能である命令をさらに含む、請求項7に記載の装置。
【請求項１１】
前記メモリは、前記プロセッサによって、
前記緊急呼IVSが実施することが可能である緊急呼関連アクションのサブセットをテレマティクス能力の前記セットに含めるステップであって、前記サブセットは、前記緊急呼IVSのユーザによって必要とされる支援のカテゴリまたは前記車両の状態のうちの少なくとも1つに少なくとも部分的に基づいて決定される、ステップ
を行うように実行可能である命令をさらに含む、請求項8に記載の装置。
【請求項１２】
前記メモリは、前記プロセッサによって、
アクションの実施を求める要求を前記緊急呼応答機関から受信するステップであって、前記要求はテレマティクス能力の前記セットに少なくとも部分的に基づく、ステップと、
前記アクションを実施するステップと
を行うように実行可能である命令をさらに含む、請求項8に記載の装置。
【請求項１３】
前記メモリは、前記プロセッサによって、
前記緊急呼応答機関との緊急呼を確立するために招待およびデータセットを送信するステップと、
前記招待に応答して能力の前記セットの送信を求める前記応答機関からの要求を受信するステップと、
前記招待への前記応答の確認応答とともにテレマティクス能力の前記セットを送信するステップと
を行うように実行可能である命令をさらに含む、請求項8に記載の装置。
【請求項１４】
車両緊急呼システムにおけるテレマティクスデータを通信するための方法であって、
通信セッションシグナリングプロトコルにより前記車両緊急呼システムにおける第2のエンドポイントにおいて、前記車両緊急呼システムにおける第1のエンドポイントからテレマティクス能力のセットを受信するステップと、
前記第1のエンドポイントが実施することが可能である少なくとも1つのアクションの実施を求める要求を前記第1のエンドポイントが受け入れる要求データ構造に対応する能力データ構造において、テレマティクス能力の前記セットを受信するステップと、
アクションの実施を求める要求を前記第1のエンドポイントに送信するステップであって、前記アクションの実施を求める前記要求は、前記受信されたテレマティクス能力のセットに少なくとも部分的に基づく、ステップと
を含む方法。
【請求項１５】
車両緊急呼システムにおけるテレマティクスデータを通信するための装置であって、
プロセッサと、
前記プロセッサと電子通信しているメモリと、
前記メモリに記憶された命令と
を含み、前記命令は前記プロセッサによって、
通信セッションシグナリングプロトコルにより前記車両緊急呼システムにおける第2のエンドポイントにおいて、前記車両緊急呼システムにおける第1のエンドポイントからテレマティクス能力のセットを受信するステップと、
前記第1のエンドポイントが実施することが可能である少なくとも1つのアクションの実施を求める要求を前記第1のエンドポイントが受け入れる要求データ構造に対応する能力データ構造において、テレマティクス能力の前記セットを受信するステップと、
アクションの実施を求める要求を前記第1のエンドポイントに送信するステップであって、前記アクションの実施を求める前記要求は、前記受信されたテレマティクス能力のセットに少なくとも部分的に基づく、ステップと
を行うように実行可能である、装置。